(57)【要約】【課題】  間仕切壁の施工作業を１工程で済ますことができ、工期、コスト上有利であり、管理も簡略な防振・防音床構造及び防振・防音床の施工方法を提供する。【解決手段】  下床３０上に遮音際根太３６や床支持具５２等を配設し、遮音際根太３６や床支持具５２上に上床ベースパネル３２を支持させて二重床構造とするとともに、防振・防音を必要とする部屋間に設けられる間仕切壁６２設置箇所において、間仕切壁６２の長手方向に沿って下床３０上から上床ベースパネル３２上面に至る高さの防音土台壁６４を立設し、上床ベースパネル３２の下面を下床３０に立設した遮音際根太７８にて支持するとともに、遮音際根太７８と、上床ベースパネル３２と、防音土台壁６４との間に防振材８８を介在させた。【選択図】図１
2015224446.tif 000002
【特許請求の範囲】
【請求項１】
下床上に床支持具を配設し、前記床支持具上に上床ベースパネルを支持させて二重床構造とするとともに、
防振・防音を必要とする部屋間に設けられる間仕切壁設置箇所において、前記間仕切壁の長手方向に沿って下床上から上床ベースパネル上面に至る高さの防音土台壁を立設し、
前記上床ベースパネルの下面を下床に立設した遮音際根太にて支持するとともに、
前記遮音際根太と、前記上床ベースパネルと、前記防音土台壁との間に防振材を介在させたことを特徴とする防振・防音床構造。
【請求項２】
請求項１において、
前記遮音際根太と、前記防音土台壁とは、予め防音土台壁ユニットとして一体化されていることを特徴とする防振・防音床構造。
【請求項３】
請求項１または２において、
前記防音土台壁は、上枠及び下枠を両側板で覆い、内部に防音材を充填したもので、前記下枠の下面は前記側板下端よりも上方に配置されて下部空間が形成され、この下部空間内に下床に固定された固定部材が差し込み可能とされていることを特徴とする防振・防音床構造。
【請求項４】
下床上に床支持具を配設し、前記床支持具上に上床ベースパネルを支持させて二重床を形成する工程において、
防振・防音を必要とする部屋間に設けられる間仕切壁設置箇所において、前記間仕切壁の長手方向に沿って下床上から上床ベースパネル上面に至る高さの防音土台壁を立設し、前記上床ベースパネルの下面を下床に立設した遮音際根太にて支持するとともに、前記遮音際根太と、前記上床ベースパネルと、前記防音土台壁との間に防振材を介在させる工程を含むことを特徴とする防振・防音床の施工方法。
【発明の詳細な説明】
【技術分野】
【０００１】
本発明は、防振・防音床構造及び防振・防音床の施工方法に関し、特に、防振・防音を必要とする部屋間に設けられる間仕切壁設置箇所における防振・防音床構造及び防振・防音床の施工方法に関する。
【背景技術】
【０００２】
従来から、コンクリートスラブなどの下床の上に上床を施工する二重床構造が知られている。
【０００３】
このような二重床構造として、例えば、特許文献１に示すような床先行工法が知られている。
【０００４】
この二重床構造は、アジャスト式の根太ユニットをコンクリートスラブ上の間仕切壁等の重量物が置かれる位置に配置し、防振アジャスト式の支持脚をコンクリートスラブ上に配置し、支持脚の床パネル載置面の高さを際根太及び根太ユニットの床パネル載置面と揃えるようにレベルを調整し、際根太、根太ユニット及び支持脚の床パネル載置面上に床パネルを敷設するようにしている。
【先行技術文献】
【特許文献】
【０００５】
【特許文献１】特開２００５−２９０７０８号公報
【発明の概要】
【発明が解決しようとする課題】
【０００６】
しかし、この特許文献１に示すような床先行工法にあっては、施工が簡単で、工期、コスト上有利である反面、上床上で発生した騒音や振動が上床から間仕切壁に直接伝わり、さらには間仕切壁から隣室に伝わるので、防振・防音性能が悪い。
【０００７】
このため、防振・防音を必要とする洗面、便所、ユニットバス、パイプスペース等とこれと隣接する部屋との間に設けられる間仕切壁のみの施工を床先行工法よりも先行させることが行われている。
【０００８】
しかし、このような部分的な間仕切壁の先行施工を行うと、床施工後に残りの間仕切壁の施工を行わなければならず、間仕切壁の施工作業が２工程になり、工期、コスト上不利であり、管理が複雑となってしまうものである。
【０００９】
本発明の目的は、間仕切壁の施工作業を１工程で済ますことができ、工期、コスト上有利であり、管理も簡略な防振・防音床構造及び防振・防音床の施工方法を提供することにある。
【課題を解決するための手段】
【００１０】
（１）前記目的を達成するため、本発明の防振・防音床構造は、下床上に床支持具を配設し、前記床支持具上に上床のベースパネルを支持させて二重床構造とするとともに、
防振・防音を必要とする部屋間に設けられる間仕切壁設置箇所において、前記間仕切壁の長手方向に沿って下床上から上床ベースパネル上面に至る高さの防音土台壁を立設し、
前記上床ベースパネルの下面を下床に立設した遮音際根太にて支持するとともに、
前記遮音際根太と、前記上床ベースパネルと、前記防音土台壁との間に防振材を介在さ
せたことを特徴とする。
【００１１】
本発明によれば、防振・防音を必要とする部屋間に設けられる間仕切壁設置箇所に防音土台壁を立設することで、防振・防音を必要とする箇所での先行間仕切壁の施工を不要とし、床下地がすべて完了した後に間仕切壁の施工を行うことができ、間仕切壁の施工作業を１工程で済ますことができ、工期、コスト上有利であり、管理も簡略なものとすることができる。
【００１２】
（２）本発明においては、（１）において、
前記遮音際根太と、前記防音土台壁とは、予め防音土台壁ユニットとして一体化されたものとしてもよい。
【００１３】
このような構成とすることにより、遮音際根太と、防音土台壁とを施工現場で組み立てる必要がなく、これらが予め一体化された防音土台壁ユニットを下床に設置して上床ベースパネルを敷設するだけで作業が完了することとなり、より一層、作業の簡略化、作業時間の短縮化、コストの削減が可能となる。
【００１４】
（３）本発明においては、（１）または（２）において、
前記防音土台壁は、上枠及び下枠を両側板で覆い、内部に防音材を充填したもので、前記下枠の下面は前記側板下端よりも上方に配置されて下部空間が形成され、この下部空間内に下床に固定された固定部材が差し込み可能としてもよい。
【００１５】
このような構成とすることにより、防音土台壁の下部空間に下床側の固定部材を差し込み、所定高さ位置で防音土台壁と固定部材とを固定すれば、下床であるスラブ等の不陸を容易に調整することができる。
【００１６】
（４）本発明の防振・防音床の施工方法は、下床上に床支持具を配設し、前記床支持具上に上床のベースパネルを支持させて二重床を形成する工程において、
防振・防音を必要とする部屋間に設けられる間仕切壁設置箇所において、前記間仕切壁の長手方向に沿って下床上から上床ベースパネル上面に至る高さの防音土台壁を立設し、前記上床ベースパネルの下面を下床に立設した遮音際根太にて支持するとともに、前記遮音際根太と、前記上床ベースパネルと、前記防音土台壁との間に防振材を介在させる工程を含むことを特徴とする。
【００１７】
本発明によれば、二重床の施工時に、防振・防音を必要とする部屋間に設けられる間仕切壁設置箇所に防音土台壁を立設することで、先行間仕切壁の施工を不要とし、床下地がすべて完了した後に間仕切壁の施工を行うことができるため、間仕切壁の施工作業を１工程で済ますことができ、工期、コスト上有利であり、管理も簡略なものとすることができる。
【図面の簡単な説明】
【００１８】
【図１】本発明の一実施の形態にかかる防振・防音床構造を示す図４のI−I線に沿う断面図である。
【図２】図４のII−II線に沿う断面図である。
【図３】図４のIII−III線に沿う断面図である。
【図４】本実施の形態にかかる防振・防音床の各部屋のレイアウトを示す平面図である。
【発明を実施するための形態】
【００１９】
以下、本発明の実施の形態について、図面を参照して説明する。
【００２０】
図１〜図４は、本発明の一実施の形態にかかる防振・防音床構造を示す図である。
【００２１】
図４は、本実施の形態にかかる防振・防音床の各部屋のレイアウトを示す平面図で、例えば、同図に示すように、各部屋は、台所１０、洗面所１２、便所１４、ユニットバス（ＵＢ）１６、パイプスペース（ＰＳ）１８等の水周り関係の部屋を中心に置き、周囲にリビングダイニング（ＬＤ）２０、和室２２、洋室２４、２６等を配置している。
【００２２】
そして、各部屋は二重床構造とされ、床先行施工が行われるようになっている。
【００２３】
例えば、前述の水周り関係の部屋からの騒音の影響を直接受けることのない箇所においては、図３に示すように、コンクリートスラブ等の下床３０上に床支持具を配設し、床支持具上に上床ベースパネル３２を支持させて二重床構造とする。
【００２４】
具体的には、洋室２６の外壁３４部分においては、下床３０上に床支持具として遮音際根太３６を設置し、この遮音際根太３６上に上床ベースパネル３２を支持させるようにしている。
【００２５】
遮音際根太３６は、ゴム製の脚部３８にボルト４０を立設し、このボルト４０に高さ調整可能に受け金具４２を取り付けるとともに、この受け金具４２上に取り付けた床受け材４４にて、上床ベースパネル３２の端部が外壁３４に取り付けられた内装材４６に接することなく、上床ベースパネル３２を支持するようになっている。
【００２６】
また、この遮音際根太３６の床受け材４４と外壁３４の内装材４６との間には、パッキンゴム等の緩衝材４８が介在させられて、上床ベースパネル３２から外壁３４への振動伝達が遮断されるようになっている。
【００２７】
そして、また、同図に示すように、洋室２６の間仕切壁５０部分では、間仕切壁５０設置位置を跨いでその両側位置の下床３０に床支持具５２を一対設置し、これら一対の床支持具５２上に、間仕切壁５０設置位置を跨ぐ長さの床受け材５４を支持させ、この床受け材５４上に上床ベースパネル３２を支持させることで、間仕切壁５０の荷重を支持するようにしている。
【００２８】
この床支持具５２は、三段ゴム製の脚部５６にボルト５８を立設し、このボルト５８に高さ調整可能に受けナット６０を取り付け、この受けナット６０上に上床ベースパネル３２を支持させるようにしている。
【００２９】
したがって、間仕切壁５０設置位置の上床ベースパネル３２下方は、防振・防音されることなく、二重床が形成されるようになっている。
【００３０】
また、防振・防音を必要とする部屋間、例えば、台所１０と洗面所１２間、台所１０とユニットバス（ＵＢ）１６間、台所１０とリビングダイニング（ＬＤ）２０間、パイプスペース（ＰＳ）１８とリビングダイニング（ＬＤ）２０間、洗面所１２と洋室２４間、洗面所１２と洋室２４間、便所１４と洋室２６間、便所１４と和室２２間等に設けられる間仕切壁設置箇所においては、例えば、図１に示す台所１０と洗面所１２との間に設置される間仕切壁６２の長手方向に沿って、上床ベースパネル３２の下方位置に、下床３０上から上床ベースパネル３２上面に至る高さの防音土台壁６４を立設するようにしている。
【００３１】
この防音土台壁６４は、所定の間隔をもって配置した上枠６６及び下枠６８を合板またはプラスターボード等からなる両側板７０で覆い、内部にグラスウール等の防音材７２を
充填したものとされ、上床ベースパネル３２の下方空間における台所１０と洗面所１２との相互間において確実に防音がなされるようにしている。
【００３２】
また、この防音土台壁６４は、下枠６８の下面は側板７０下端よりも上方に配置されて側板７０に挟まれた下部空間７４が形成され、この下部空間７４内に下床３０に固定された固定部材７６が差し込み可能とされている。
【００３３】
したがって、防音土台壁６４の下部空間７４に下床３０側の固定部材７６を差し込み、所定高さ位置で防音土台壁６４と固定部材７６とを釘、ねじ等の固定手段により固定すれば、下床３０であるコンクリートスラブ等の不陸を容易に調整することができる。
【００３４】
さらに、間仕切壁６２設置位置の台所１０及び洗面所１２の各部屋の上床ベースパネル３２の端部は、対応位置の下床３０に立設した一対の遮音際根太７８によって上床ベースパネル３２の下面が支持されるようになっている。
【００３５】
なお、この遮音際根太７８は、間仕切壁６２の長手方向に沿って所定間隔で複数配設されるようになっている。
【００３６】
遮音際根太７８は、ゴム製の脚部８０にボルト８２を立設し、このボルト８２に高さ調整可能に受け金具８４を取り付けるとともに、この受け金具８４上に取り付けた受け材８６にて、上床ベースパネル３２の端部が防音土台壁６４に接することなく、上床ベースパネル３２を支持するようになっている。
【００３７】
そして、この遮音際根太７８の受け材８６と、上床ベースパネル３２と、防音土台壁６４との間に防振パッキン等の防振材８８を介在させることで、上床ベースパネル３２から隣の部屋への振動伝達が防止されるようにしている。
【００３８】
また、この実施の形態では、遮音際根太７８と、防音土台壁６４とは、予め防音土台壁ユニット９０として一体化されたものとすることで、遮音際根太７８と、防音土台壁６４とを施工現場で組み立てる必要がなく、予め一体化された防音土台壁ユニット９０を下床３０に設置して上床ベースパネル３２を敷設するだけで作業が完了することとなり、作業の簡略化、作業時間の短縮化、コストの削減が可能となる。
【００３９】
さらに、図２に示す台所１０とユニットバス（ＵＢ）１６との間に設置される間仕切壁９２設置位置の場合には、防音土台壁９４はユニットバス（ＵＢ）１６側の側板がなく、台所１０側にのみ側板７０が設けられ、また、下枠６８も省略された状態となっている。
【００４０】
また、遮音際根太７８は、ユニットバス（ＵＢ）１６側には設けられず、台所１０側のみに設けられた状態となっている。
【００４１】
このように、本実施の形態においては、防振・防音を必要とする部屋間に設けられる間仕切壁６２、９２等の設置箇所に防音土台壁６４、９４を立設することで、防振・防音を必要とする箇所での先行間仕切壁の施工を不要とし、床下地がすべて完了した後に間仕切壁５０、６２、９２等の施工を行うことができ、間仕切壁５０、６２、９２等の施工作業を１工程で済ますことができ、工期、コスト上有利であり、管理も簡略なものとすることができる。
【００４２】
次に、防振・防音床の施工方法について説明すると、水周り関係の部屋からの騒音の影響を直接受けることのない箇所においては、図３に示すように、まず、下床３０上に遮音際根太３６や床支持具５２等を配設し、遮音際根太３６や床支持具５２上に上床ベースパ
ネル３２を支持させて二重床を形成する。
【００４３】
また、図１及び図２に示すように、防振・防音を必要とする部屋間に設けられる間仕切壁６２，９２設置箇所において、間仕切壁６２，９２の長手方向に沿って下床３０上から上床ベースパネル３２上面に至る高さの防音土台壁６４，９４を立設し、上床ベースパネル３２の下面を下床３０に立設した遮音際根太７８にて支持するとともに、遮音際根太７８と、上床ベースパネル３２と、防音土台壁６４，９４との間に防振材８８を介在させる。
【００４４】
このように、二重床の施工時に、防振・防音を必要とする部屋間に設けられる間仕切壁６２，９２設置箇所に防音土台壁６４，９４を立設することで、先行間仕切壁の施工を不要とし、床下地がすべて完了した後に間仕切壁の施工を行うことができるため、間仕切壁の施工作業を１工程で済ますことができ、工期、コスト上有利であり、管理も簡略なものとすることができる。
【００４５】
したがって、防音土台壁６４、９４を用いて、床先行施工で二重床を形成した後、上床ベースパネル３２上にすべての間仕切パネルを立設し、上床パネル上にフローリングやシート等の床仕上げ材９６を施し、さらに巾木９８等を施せばよい。
【産業上の利用可能性】
【００４６】
本発明は、前記実施の形態に限定されるものではなく、本発明の要旨の範囲内において種々の変形が可能である。
【００４７】
例えば前記実施の形態では、図１において防音土台壁に上枠及び下枠を用いているが、この例に限定されるものではなく、下枠を省略することも可能である。
【符号の説明】
【００４８】
３０  下床
３２  上床ベースパネル
６２、９２  間仕切壁
６４、９４  防音土台壁
６６  上枠
６８  下枠
７０  側板
７２  防音材
７４  下部空間
７６  固定部材
７８  遮音際根太
８８  防振材
９０  防音土台壁ユニット
【図１】
2015224446.tif 000003
【図２】
2015224446.tif 000004
【図３】
2015224446.tif 000005
【図４】
2015224446.tif 000006